Podtech/llm-jp-corpus-v4-ja_patent huggingface dataset:
【誤訳訂正書】
【提出日】平成26年11月14日(2014.11.14)
【誤訳訂正１】
【訂正対象書類名】特許請求の範囲
【訂正対象項目名】全文
【訂正方法】変更
【訂正の内容】
【特許請求の範囲】
【請求項１】
ガスタービンユニット（１）を備えた発電プラントであって、
このガスタービンユニット（１）の煙道ガス（８）がダイバータ（１１）に供給され、ダイバータ（１１）において、煙道ガス（８）が再循環流（１２）と排出流（１３）に分流され、前記再循環流（１２）が外気（７）と共に混合器（１６）に供給されて、ガスタービンユニット（１）のコンプレッサ（２）の入口に供給される混合気体（６）を形成し、
コンプレッサ（２）の入口で混合気体（６）の酸素濃度を監視するための監視システムが設けられている発電プラントにおいて、
監視システムが、
−少なくとも一つの再循環流質量流量センサ（３０）と、
−少なくとも一つの再循環流酸素濃度センサ（３１）と、
−混合気体（６）の質量流量の少なくとも一つのセンサ（３２）と、
−コンプレッサ（２）の入口の上流側での酸素濃度を得るように、少なくとも一つの再循環流質量流量センサ（３０）と、再循環流酸素濃度センサ（３１）と、混合気体（６）の質量流量のセンサ（３２）とにより検出される情報を精緻に加工するために配置された制御ユニット（３５）を備えていることを特徴とする発電プラント。
【請求項２】
少なくとも一つの再循環流質量流量センサ（３０）が、混合器（１６）の上流側に接続していることを特徴とする請求項１に記載の発電プラント。
【請求項３】
少なくとも一つの再循環流質量流量センサ（３０）が、ダイバータ（１１）の下流側に接続していることを特徴とする請求項１又は２に記載の発電プラント。
【請求項４】
少なくとも一つの再循環流酸素濃度センサ（３１）が、混合器（１６）の上流側に接続していることを特徴とする請求項１から３までのいずれか１項に記載の発電プラント。
【請求項５】
再循環流（１２）のための流路における前記ダイバータ（１１）の下流側に冷却器（１４）が設けられており、少なくとも一つの再循環流酸素濃度センサ（３１）が、冷却器（１４）の下流側に接続していることを特徴とする請求項１から４までのいずれか１項に記載の発電プラント。
【請求項６】
混合気体（６）の質量流量の少なくとも一つのセンサ（３２）の少なくとも一部が、コンプレッサ（２）の上流側に接続していることを特徴とする請求項１から５までのいずれか１項に記載の発電プラント。
【請求項７】
混合気体（６）の質量流量の少なくとも一つのセンサ（３２）が、前記質量流量の間接的測定を提供していることを特徴とする請求項１から６までのいずれか１項に記載の発電プラント。
【請求項８】
混合気体（６）の質量流量の少なくとも一つのセンサ（３２）が、温度センサ（３７）と、圧力センサ（３８）と、案内翼位置制御装置（３９）を備えていることを特徴とする請求項７に記載の発電プラント。
【請求項９】
温度センサ（３７）、圧力センサ（３８）、および案内翼位置制御装置（３９）が、混合気体（６）の質量流量を得るように、コンプレッサマップと関連して精緻に加工される情報を供給するために制御ユニット（３５）に接続していることを特徴とする請求項８に記載の発電プラント。
【請求項１０】
排出流（１３）がＣＯ２捕捉ユニット（２１）に供給されていることを特徴とする請求項１から９までのいずれか１項に記載の発電プラント。
【請求項１１】
ガスタービンユニット（１）の出口がダイバータ（１１）に接続した再熱ボイラ（９）に接続していることを特徴とする請求項１から１０までのいずれか１項に記載の発電プラント。
【請求項１２】
ガスタービンユニット（１）を備えた発電プラントを操業する方法であって、
このガスタービンユニット（１）の煙道ガス（８）がダイバータ（１１）に供給され、ダイバータ（１１）において、煙道ガス（８）が再循環流（１２）と排出流（１３）に分流され、前記再循環流（１２）が外気（７）と共に混合器（１６）に供給されて、ガスタービンユニット（１）のコンプレッサ（２）の入口に供給される混合気体（６）を形成し、
コンプレッサ（２）の入口で混合気体（６）の酸素濃度を監視するための監視システムが設けられている方法において、
前記監視システムが、
−少なくとも一つの再循環流質量流量センサ（３０）により、再循環流質量流量を検出し、
−少なくとも一つの再循環流酸素濃度センサ（３１）により、再循環流酸素濃度を検出し、
−混合気体（６）の質量流量の少なくとも一つのセンサ（３２）により、混合気体（６）の質量流量を検出し、
−コンプレッサ（２）の入口の上流側での酸素濃度を得るように、少なくとも一つの再循環流質量流量センサ（３０）と、再循環流酸素濃度センサ（３１）と、混合気体（６）の質量流量のセンサ（３２）とにより検出される情報を制御ユニット（３５）により精緻に加工することを特徴とする方法。
【請求項１３】
排出流（１３）がＣＯ２捕捉ユニット（２１）に供給されることを特徴とする請求項１２に記載の方法。
【請求項１４】
ガスタービンユニット（１）から来る煙道ガス（８）が蒸気タービンユニット（１０）の再熱ボイラ（９）を通過し、ついでダイバータ（１１）に供給されることを特徴とする請求項１２又は１３に記載の方法。
【手続補正書】
【提出日】平成26年11月18日(2014.11.18)
【手続補正１】
【補正対象書類名】特許請求の範囲
【補正対象項目名】全文
【補正方法】変更
【補正の内容】
【特許請求の範囲】
【請求項１】
遊技の進行に応じた演出等を表示する第１の表示手段と、
遊技の進行に応じた演出等を表示する第２の表示手段と、
前記第１の表示手段及び前記第２の表示手段を制御する表示制御手段とを有し、
前記表示制御手段は、前記各表示手段にて表示される画像データをそれぞれ生成する画像生成手段と、
前記画像生成手段から出力される前記画像データを含むパラレル信号と、
前記パラレル信号を差動信号に変換する変換手段と、
前記変換手段にて変換された前記差動信号を元の信号に復号する復号手段とを有し、
前記第１の表示手段と前記第２の表示手段は、駆動周波数特性が異なると共に、画面サイズが異なり、
前記画像生成手段は、単数で構成され、
前記第１の表示手段と前記第２の表示手段の少なくとも一方には、前記復号手段にて復号された信号が出力されてなることを特徴とする遊技機。
【手続補正２】
【補正対象書類名】明細書
【補正対象項目名】０００８
【補正方法】変更
【補正の内容】
【０００８】
請求項１の発明に係る遊技機によれば、遊技の進行に応じた演出等を表示する第１の表示手段（メイン液晶表示装置４１Ａ）と、
遊技の進行に応じた演出等を表示する第２の表示手段（サブ液晶表示装置４１Ｂ）と、
前記第１の表示手段（メイン液晶表示装置４１Ａ）及び前記第２の表示手段（サブ液晶表示装置４１Ｂ）を制御する表示制御手段（液晶制御基板９０，液晶Ｉ／Ｆ基板１１０）とを有し、
前記表示制御手段（液晶制御基板９０，液晶Ｉ／Ｆ基板１１０）は、前記各表示手段（メイン液晶表示装置４１Ａ，サブ液晶表示装置４１Ｂ）にて表示される画像データをそれぞれ生成する画像生成手段（ＶＤＰ９０ｄ）と、
前記画像生成手段（ＶＤＰ９０ｄ）から出力される前記画像データを含むパラレル信号（サブ液晶用垂直同期信号ＳＶＳＹＮＣ，サブ液晶用水平同期信号ＳＨＳＹＮＣ，サブ液晶用画素クロック信号ＳＤＯＴＣＬＫ、サブ液晶用ディスプレイイネーブル信号ＳＤＥ，サブ液晶用赤データ信号ＳＤＲ，サブ液晶用緑データ信号ＳＤＧ，サブ液晶用青データ信号ＳＤＢ）と、
前記パラレル信号（サブ液晶用垂直同期信号ＳＶＳＹＮＣ，サブ液晶用水平同期信号ＳＨＳＹＮＣ，サブ液晶用画素クロック信号ＳＤＯＴＣＬＫ、サブ液晶用ディスプレイイネーブル信号ＳＤＥ，サブ液晶用赤データ信号ＳＤＲ，サブ液晶用緑データ信号ＳＤＧ，サブ液晶用青データ信号ＳＤＢ）を差動信号（サブ液晶用差動信号ＴＸＯＵＴ＋／−）に変換する変換手段（サブトランスミッタ１１１３）と、
前記変換手段（サブトランスミッタ１１１３）にて変換された前記差動信号（サブ液晶用差動信号ＴＸＯＵＴ＋／−）を元の信号（サブ液晶用垂直同期信号ＳＶＳＹＮＣ，サブ液晶用水平同期信号ＳＨＳＹＮＣ，サブ液晶用画素クロック信号ＳＤＯＴＣＬＫ、サブ液晶用ディスプレイイネーブル信号ＳＤＥ，サブ液晶用赤データ信号ＳＤＲ，サブ液晶用緑データ信号ＳＤＧ，サブ液晶用青データ信号ＳＤＢ）に復号する復号手段（サブレシーバ１５０１）とを有し、
前記第１の表示手段（メイン液晶表示装置４１Ａ）と前記第２の表示手段（サブ液晶表示装置４１Ｂ）は、駆動周波数特性が異なると共に、画面サイズが異なり、
前記画像生成手段（ＶＤＰ９０ｄ）は、単数で構成され、
前記第１の表示手段（メイン液晶表示装置４１Ａ）と前記第２の表示手段（サブ液晶表示装置４１Ｂ）の少なくとも一方には、前記復号手段（サブレシーバ１５０１）にて復号された信号（サブ液晶用垂直同期信号ＳＶＳＹＮＣ，サブ液晶用水平同期信号ＳＨＳＹＮＣ，サブ液晶用画素クロック信号ＳＤＯＴＣＬＫ、サブ液晶用ディスプレイイネーブル信号ＳＤＥ，サブ液晶用赤データ信号ＳＤＲ，サブ液晶用緑データ信号ＳＤＧ，サブ液晶用青データ信号ＳＤＢ）が出力されてなることを特徴としている。
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
精製逆感熱性ポリマーを含む有効量の組成物を用いる、胃腸粘膜切除の粘膜下投与用処置薬であって、前記精製逆感熱性ポリマーが、ポロキサマー４０７、ポロキサマー３３８、ポロキサマー１１８、ポロキサミン１１０７およびポロキサミン１３０７からなる群より選択され、前記精製逆感熱性ポリマーが、溶解度の差、ゲル透過クロマトグラフィー、又は超臨界流体抽出技術により逆感熱性ポリマーを精製したものである、胃腸粘膜切除の粘膜下投与用処置薬。
【請求項２】
前記組成物が、１０℃と４０℃の間の転移温度を有する請求項１に記載の処置薬。
【請求項３】
生理温度での前記組成物の体積が、その転移温度より下でその体積の８０％〜１２０％である請求項１に記載の処置薬。
【請求項４】
前記組成物が、５％〜３５％の前記精製逆感熱性ポリマーを含む請求項１に記載の処置薬。
【請求項５】
前記組成物が、コントラスト増強剤をさらに含み、放射線不透過性材料、常磁性材料、重原子、遷移金属、ランタニド、アクチニド、染料および放射性核種含有材料からなる群より選択される請求項１に記載の処置薬。
【請求項６】
精製逆感熱性ポリマーを含む組成物、注射器およびそれらの使用説明書を含み、前記精製逆感熱性ポリマーが、ポロキサマー４０７、ポロキサマー３３８、ポロキサマー１１８、ポロキサミン１１０７およびポロキサミン１３０７からなる群より選択され、前記精製逆感熱性ポリマーが、溶解度の差、ゲル透過クロマトグラフィー、又は超臨界流体抽出技術により逆感熱性ポリマーを精製したものである、哺乳動物における胃腸の内視鏡的粘膜切除において使用するためのキット。
【請求項７】
前記組成物が、１０℃と４０℃の間の転移温度を有する請求項６に記載のキット。
【請求項８】
前記組成物が、５％〜３５％の前記精製逆感熱性ポリマーを含む請求項６に記載のキット。
【請求項９】
前記精製逆感熱性ポリマーが、１．５〜１．０の多分散度を有する請求項６に記載のキット。
【請求項１０】
コントラスト増強剤をさらに含み、該コントラスト増強剤が、放射線不透過性材料、常磁性材料、重原子、遷移金属、ランタニド、アクチニド、染料、および放射性核種含有材料からなる群より選択される請求項６に記載のキット。
【請求項１１】
精製逆感熱性ポリマー溶液を含む有効量の組成物を用いる胃腸粘膜切除の粘膜下投与用処置薬であって、前記精製逆感熱性ポリマーが、ポロキサマー４０７、ポロキサマー３３８、ポロキサマー１１８、ポロキサミン１１０７およびポロキサミン１３０７からなる群より選択され、前記溶液が、少なくとも２５℃の温度で注入できるような組成を有し、前記精製逆感熱性ポリマーが、溶解度の差、ゲル透過クロマトグラフィー、又は超臨界流体抽出技術により逆感熱性ポリマーを精製したものである医薬粘膜切除の粘膜下投与用処置薬。
【請求項１２】
前記溶液が、少なくとも２５℃以下の温度で５００ｃｐ未満の粘度を維持するような組成を有する請求項１１に記載の処置薬。
【請求項１３】
前記溶液が、６．５℃の温度範囲に粘度の少なくとも３倍増加を示すような組成を有する請求項１１に記載の処置薬。
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
前記遊技領域が形成される遊技パネルと、
前記遊技パネルの後側に配置され、発光部を備える装飾体と、
前記遊技パネルの後側の表示領域にて表示される所定の演出画像を、前記遊技パネルの開口部を通して視認可能とする演出表示手段と、
前記装飾体を遊技状況に応じて移動させる移動手段と、
を具備する遊技機であって、
前記移動手段は、前記装飾体を前記遊技パネルと重なる待機位置から前記表示領域の中心方向に移動可能とし、
前記装飾体は、前記待機位置において少なくとも一部が視認可能に配置され、前記発光部が発光し、
前記移動手段に動力を与える駆動源は、前記装飾体の位置に拘らず視認不能に配設されている
ことを特徴とする遊技機。
【請求項２】
前記遊技領域に向けて遊技媒体を打ち込む発射手段を備えることを特徴とする請求項１に記載の遊技機。
【請求項３】
前記遊技領域に遊技媒体を受け入れ可能な入賞口を備えることを特徴とする請求項１又は２に記載の遊技機。
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
スロットマシンであって、
所定の特別移行条件が成立したときに、所定の終了条件が成立するまで遊技者にとって有利な特別状態に状態を制御する特別状態制御手段と、
遊技者からの指示に従って、前記特別状態において実行される演出の種類を選択する演出選択手段と、
前記特別状態に制御されているときに、前記演出選択手段により選択された演出の種類に応じた演出を実行する選択演出実行手段と、
前記特別状態に制御されているときに、前記演出選択手段により選択された演出の種類に応じて各々当選条件が異なり、該当選条件の成立により、前記特別状態が終了した後に該特別状態とは異なる遊技者にとって有利な特定状態に状態を制御する決定をする特定状態決定手段と、
前記特定状態決定手段により前記特定状態に制御する旨が決定されたときに、該特定状態に制御する旨を遊技者に報知する特定状態報知手段と、
前記特定状態決定手段により前記特定状態に制御する旨が決定されたときに、前記特別状態が終了した後に該特定状態に状態を制御する特定状態制御手段とを備え、
前記特別状態が終了した後に前記特定状態に状態が制御される確率は、前記演出選択手段により選択された演出の種類に応じた前記当選条件の成立確率と、該当選条件が成立したときに前記特定状態に制御する決定がされる確率との関係により、前記演出選択手段により何れの演出の種類を選択しても大差がなく、
前記特定状態報知手段は、
前記演出選択手段により当選条件の成立確率が高い演出の種類が選択されているときの方が、当選条件の成立確率が低い演出の種類が選択されているときよりも遅いタイミングで、前記特定状態に状態を制御する旨を報知する
ことを特徴とするスロットマシン。
【手続補正２】
【補正対象書類名】明細書
【補正対象項目名】０００８
【補正方法】変更
【補正の内容】
【０００８】
上記目的を達成するため、本発明の第１の観点にかかるスロットマシンは、
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
スロットマシンであって、
所定の特別移行条件が成立したときに、所定の終了条件が成立するまで遊技者にとって有利な特別状態に状態を制御する特別状態制御手段と、
遊技者からの指示に従って、前記特別状態において実行される演出の種類を選択する演出選択手段と、
前記特別状態に制御されているときに、前記演出選択手段により選択された演出の種類に応じた演出を実行する選択演出実行手段と、
前記特別状態に制御されているときに、前記演出選択手段により選択された演出の種類に応じて各々当選条件が異なり、該当選条件の成立により、前記特別状態が終了した後に該特別状態とは異なる遊技者にとって有利な特定状態に状態を制御する決定をする特定状態決定手段と、
前記特定状態決定手段により前記特定状態に制御する旨が決定されたときに、該特定状態に制御する旨を遊技者に報知する特定状態報知手段と、
前記特定状態決定手段により前記特定状態に制御する旨が決定されたときに、前記特別状態が終了した後に該特定状態に状態を制御する特定状態制御手段とを備え、
前記特別状態が終了した後に前記特定状態に状態が制御される確率は、前記演出選択手段により選択された演出の種類に応じた前記当選条件の成立確率と、該当選条件が成立したときに前記特定状態に制御する決定がされる確率との関係により、前記演出選択手段により何れの演出の種類を選択しても大差がなく、
前記特定状態報知手段は、
前記演出選択手段により当選条件の成立確率が高い演出の種類が選択されているときの方が、当選条件の成立確率が低い演出の種類が選択されているときよりも遅いタイミングで、前記特定状態に状態を制御する旨を報知する
ことを特徴とする。
【手続補正３】
【補正対象書類名】明細書
【補正対象項目名】００３３
【補正方法】変更
【補正の内容】
【００３３】
電源基板１００は、後述する内部抽選への当選確率を設定し、これに基づいて算出されるメダルの仮想払出率の設定値（設定１〜設定６）を変更するための設定スイッチ９１、設定スイッチ９１を操作有効とする設定キースイッチ９２、内部状態（ＲＡＭ１１２）をリセットする第２リセットスイッチ９３、及び電源のＯＮ／ＯＦＦ切り替えを行うメインスイッチ９４にもそれぞれ接続されており、これらのスイッチの検出信号を遊技制御基板１０１へと送る。これらのスイッチ９１〜９４は、スロットマシン１の内部に設けられている。
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
遊技の演出に係る制御を行う演出制御手段を備えた遊技機において、
遊技の演出を行う演出装置を制御するための単位制御手段を設け、
前記演出制御手段を、前記単位制御手段を統括的に制御する統括制御手段として構成するとともに、
前記統括制御手段と前記単位制御手段との間に、タイミング信号を伝達するタイミング信号線と、データ信号を伝達するデータ信号線を備え、
前記統括制御手段は、
所定の送信開始指令を送信した後に、前記データ信号線の信号レベルを、送信データに対応する信号レベルに設定しながら前記タイミング信号線の信号レベルを繰り返し変化させることで、順次前記単位制御手段にデータ送信を行い、
前記データ送信が中断される場合には、データ送信が中断された時点から次のデータ送信に伴う送信開始指令が送信されるまでの間に亘って、前記タイミング信号線の信号レベルを前記送信開始指令の送信の際に維持される信号レベルとは反転させて維持するようにしたことを特徴とする遊技機。
【手続補正２】
【補正対象書類名】明細書
【補正対象項目名】０００１
【補正方法】変更
【補正の内容】
【０００１】
演出装置を制御する単位制御手段と、単位制御手段を制御する統括制御手段とを備える遊技機に関する。
【手続補正３】
【補正対象書類名】明細書
【補正対象項目名】０００５
【補正方法】変更
【補正の内容】
【０００５】
従来の遊技機では、休止期間を終了して装飾制御データを送信開始する際には、必ずスタート条件を送信しなければならず、送信開始までの処理が複雑でもあった。
本発明は、複雑な手順によらずにデータを短時間で送信開始することが可能な遊技機を提供することを目的とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明は、遊技の演出に係る制御を行う演出制御手段を備えた遊技機において、遊技の演出を行う演出装置を制御するための単位制御手段を設け、前記演出制御手段を、前記単位制御手段を統括的に制御する統括制御手段として構成するとともに、前記統括制御手段と前記単位制御手段との間に、タイミング信号を伝達するタイミング信号線と、データ信号を伝達するデータ信号線を備え、前記統括制御手段は、所定の送信開始指令を送信した後に、前記データ信号線の信号レベルを、送信データに対応する信号レベルに設定しながら前記タイミング信号線の信号レベルを繰り返し変化させることで、順次前記単位制御手段にデータ送信を行い、前記データ送信が中断される場合には、データ送信が中断された時点から次のデータ送信に伴う送信開始指令が送信されるまでの間に亘って、前記タイミング信号線の信号レベルを前記送信開始指令の送信の際に維持される信号レベルとは反転させて維持するようにした。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
本発明によれば、データを短時間で送信開始することができる。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
遊技が行われる遊技領域を視認可能に覆う遊技領域カバー部と、遊技領域カバー部に対して周辺側における一部に設けられて音源から出力される音を出力可能な開口を形成する音出力部と、遊技領域カバー部に対して周辺側において前記音出力部とは別位置に設けられ、装飾部材を配置可能な内部空間を裏側に形成する透明又は半透明な装飾カバー部とが前面側に設けられた遊技機において、
前記音源は、前記音出力部の少なくとも一部に相当する所定の音出力部に対して後側に離間し、該所定の音出力部との間に内部空間を形成する位置に配置され、
前記所定の音出力部と前記装飾カバー部とは、遊技機の前面側において所定の方向に並んで配置され、それらの裏側において連続した内部空間を形成するカバー手段を構成することを特徴とする遊技機。
【請求項２】
前記所定の音出力部は、遊技機の前方側に相当する第１の方向を少なくとも向く外面形状に形成され、前記内部空間に対して該第１の方向側に少なくとも貫通した開口を形成する部位であり、
前記カバー手段には、前記音出力部として、前記所定の音出力部を基準として前記装飾カバー部が位置する側とは反対側を向く外面形状に形成され、前記内部空間に対して、前記第１の方向に交差する第２の方向側に少なくとも貫通した開口を形成する第２音出力部が設けられていることを特徴とする請求項１記載の遊技機。
【手続補正書】
【提出日】平成27年3月4日(2015.3.4)
【手続補正１】
【補正対象書類名】明細書
【補正対象項目名】発明の名称
【補正方法】変更
【補正の内容】
【発明の名称】プレス体、及びプレス体の製造方法
【手続補正２】
【補正対象書類名】特許請求の範囲
【補正対象項目名】全文
【補正方法】変更
【補正の内容】
【特許請求の範囲】
【請求項１】
金属板をプレス成形したプレス体であって、
天板部と、前記天板部の周縁から立設される側壁部と、前記天板部及び前記側壁部で構成される外周面のうち、二面を繋ぐ角部とを有しており、
前記天板部と前記側壁部とは、厚さが等しく、
前記角部の外側曲げ半径Ｒと、前記金属板の厚さｔとは、Ｒ≦（２／３）×ｔを満たし、
前記角部の硬度Ｈｃと、前記天板部の硬度Ｈｓとは、Ｈｃ−Ｈｓ≧５Ｈｖを満たすプレス体。
【請求項２】
前記外側曲げ半径Ｒは、Ｒ≦（１／２）×ｔを満たす請求項１に記載のプレス体。
【請求項３】
前記角部の硬度Ｈｃは、９０Ｈｖ以上である請求項１又は請求項２に記載のプレス体。
【請求項４】
前記角部の内側曲げ半径ｒが実質的に０ｍｍである請求項１〜請求項３のいずれか１項に記載のプレス体。
【請求項５】
前記プレス体は、Ａｌ又はＺｎを含むマグネシウム合金からなる請求項１〜請求項４のいずれか１項に記載のプレス体。
【請求項６】
前記プレス体は、Ａｌ及びＺｎを含むマグネシウム合金からなる請求項１〜請求項４のいずれか１項に記載のプレス体。
【請求項７】
前記マグネシウム合金は、質量％でＡｌを８．３％以上９．５％以下、Ｚｎを０．５％以上１．５％以下含有し、残部がＭｇ及び不純物からなる請求項６に記載のプレス体。
【請求項８】
前記外側曲げ半径Ｒが０．１ｍｍ以上０．３ｍｍ以下であり、
前記厚さｔは、０．４ｍｍ以上である請求項１〜請求項７のいずれか１項に記載のプレス体。
【請求項９】
金属板をプレス成形するプレス体の製造方法であって、
金属からなる厚さｔの素材板を準備する準備工程と、
前記素材板に対して、外周面のうち二面を繋ぐ角部を少なくとも一つ有し、前記角部の少なくとも一つの内側曲げ半径ｒが、実質的に０ｍｍであるプレス材を形成する第一のプレス工程と、
前記プレス材に対して、前記角部の少なくとも一つの外側曲げ半径Ｒが、Ｒ≦（２／３）×ｔを満たすプレス体を形成する第二のプレス工程とを備え、
前記第一のプレス工程は、肩部の曲げ半径Ｒｐが実質的に０ｍｍのパンチを用いて、前記パンチを２００℃以上３００℃以下に加熱した状態でプレス加工を施し、
前記第二のプレス工程は、直角の角部を有するダイと、前記プレス材の端面を押圧する端部押圧面、及び前記プレス材の内側の角部を押圧する肩部、及び前記プレス材の内側面を押圧する主押圧面を有する段差形状のパンチとを用いて、前記ダイ及び前記段差形状のパンチを２００℃以上３００℃以下に加熱した状態で、前記プレス材の内側の角部及び内側面を拘束せずに前記端部押圧面で前記プレス材の端面を押圧した後、更に前記肩部及び前記主押圧面で前記プレス材の角部及び内側面を押圧して、前記ダイの角部に前記プレス材の構成材料を押し集めてプレス加工を施すプレス体の製造方法。
【請求項１０】
前記段差形状のパンチは、前記端部押圧面、前記肩部、及び前記主押圧面が一体成形されている請求項９に記載のプレス体の製造方法。
【請求項１１】
前記第一のプレス工程の後、前記プレス材の端面の少なくとも一部を切断し、前記プレス材の内側面からの高さを均一的にしてから、前記第二のプレス工程を行う請求項９又は請求項１０に記載のプレス体の製造方法。
【誤訳訂正書】
【提出日】平成27年10月29日(2015.10.29)
【誤訳訂正１】
【訂正対象書類名】明細書
【訂正対象項目名】００１２
【訂正方法】変更
【訂正の内容】
【００１２】
特定の理論に拘束されるものではないが、この改善は、使用において、コンジットを離れた薬剤の拡散は、呼吸に誘起される減圧が空気流アダプタの先端にもたらされる時に、コンジット中の空気流と独立に、アダプタの基端からアダプタの先端へ空気が流れることを許容する手段によって形成される第二の空気流によって制限されるからだと考えられている。
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
乗客の属性を検出する乗客属性検出手段と、
前記乗客属性検出手段により特定の属性が検出された場合における新設かごの割当評価が、前記特定の属性が検出されなかった場合における新設かごの割当評価よりも高くなるように新設かごの割当評価値を決定する割当評価値決定手段と、
新設かご及び既設かごの割当評価値に基づいて乗場呼びに応答する割当かごを決定する割当かご決定手段と、
を備えたエレベーター群管理制御装置。
【請求項２】
前記割当評価値決定手段は、
前記乗客属性検出手段により検出された属性に基づいて割当評価値の補正値を作成する補正値作成手段と、
新設かご及び既設かごの割当評価値を計算する割当評価値計算手段と、
を備え、
前記割当評価値計算手段は、前記補正値作成手段により作成された補正値を使用して新設かごの割当評価値を計算する請求項１に記載のエレベーター群管理制御装置。
【請求項３】
前記割当評価値計算手段は、前記補正値作成手段により作成された補正値を使用せずに既設かごの割当評価値を計算する請求項２に記載のエレベーター群管理制御装置。
【請求項４】
前記補正値作成手段は、前記乗客属性検出手段により前記特定の属性が検出された場合に割当評価値の補正値を作成し、前記乗客属性検出手段により前記特定の属性が検出されなかった場合には割当評価値の補正値を作成しない請求項２又は３に記載のエレベーター群管理制御装置。
【請求項５】
エレベーターの混雑状況を検出する混雑状況検出手段を備え、
前記補正値作成手段は、前記混雑状況検出手段により検出された混雑状況に基づいて割当評価値の補正値を変化させる請求項２から４のいずれか１項に記載のエレベーター群管理制御装置。
【請求項６】
前記特定の属性は、乗客が車いす利用者又は視覚障害者であることを示すものである請求項１から５のいずれか１項に記載のエレベーター群管理制御装置。
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
シート状の物品を収納する配送用ケースであって、
枠体と、
蓋部材と、
を備え、
前記枠体は、
底部と、
相対向する第１板部および第２板部と、
前記第１板部および前記第２板部に接続する、相対向する第３板部および第４板部と、
前記枠体の内側を複数の収納室に区切り、かつ、前記複数の収納室をまたぐ、単独の収納室より大きな収納室を設ける仕切壁と、
を有する
配送用ケース。
【請求項２】
シート状の物品を収納する配送用ケースであって、
枠体と、
蓋部材と、
を備え、
前記枠体は、
底部と、
相対向する第１板部および第２板部と、
前記第１板部および前記第２板部に接続する、相対向する第３板部および第４板部と、
前記枠体の内側を複数の収納室に区切る仕切壁と、
を有し、
前記蓋部材は、
前記枠体の頂部および前記仕切壁の頂部に対して接着または溶着によって固定される
配送用ケース。
【請求項３】
前記枠体および前記仕切壁の頂部の高さは略同一である、請求項１または２に記載の配送用ケース。
【請求項４】
前記第１板部、前記第２板部、前記第３板部、前記仕切壁、および前記底部は、第１収納室を構成し、
前記第１板部、前記第２板部、前記第４板部、前記仕切壁、および前記底部は、第２収納室を構成し、
前記第１収納室および前記第２収納室をまたがる第３収納室を構成する
請求項１から３のいずれか一項に記載の配送用ケース。
【請求項５】
前記第１収納室および前記第２収納室にシート状の物品を収納し、かつ、前記第３収納室に前記第１収納室および前記第２収納室に収納したシート状の物品より大きいシート状の物品を収納した請求項４に記載の配送用ケース。
【請求項６】
前記第１収納室および前記第２収納室は、サービスサイズの写真を収納するためのものである、請求項４または５に記載の配送用ケース。
【請求項７】
前記第３収納室は、パノラマサイズの写真を収納するためのものである、請求項４から６のいずれか一項に記載の配送用ケース。
【手続補正２】
【補正対象書類名】明細書
【補正対象項目名】０００９
【補正方法】変更
【補正の内容】
【０００９】
本発明の第１の態様においては、シート状の物品を収納する配送用ケースであって、枠体と、蓋部材と、を備え、前記枠体は、底部と、相対向する第１板部および第２板部と、前記第１板部および前記第２板部に接続する、相対向する第３板部および第４板部と、前記枠体の内側を複数の収納室に区切り、かつ、前記複数の収納室をまたぐ、単独の収納室より大きな収納室を設ける仕切壁と、を有する配送用ケースを提供する。
【手続補正３】
【補正対象書類名】明細書
【補正対象項目名】００１０
【補正方法】変更
【補正の内容】
【００１０】
本発明の第２の態様においては、シート状の物品を収納する配送用ケースであって、枠体と、蓋部材と、を備え、前記枠体は、底部と、相対向する第１板部および第２板部と、前記第１板部および前記第２板部に接続する、相対向する第３板部および第４板部と、前記枠体の内側を複数の収納室に区切る仕切壁と、を有し、前記蓋部材は、前記枠体の頂部および前記仕切壁の頂部に対して接着または溶着によって固定される配送用ケースを提供する。
【手続補正４】
【補正対象書類名】明細書
【補正対象項目名】００１１
【補正方法】変更
【補正の内容】
【００１１】
前記枠体および前記仕切壁の頂部の高さは略同一であってよい。
前記第１板部、前記第２板部、前記第３板部、前記仕切壁、および前記底部は、第１収納室を構成し、前記第１板部、前記第２板部、前記第４板部、前記仕切壁、および前記底部は、第２収納室を構成し、前記第１収納室および前記第２収納室をまたがる第３収納室を構成してもよい。
【手続補正５】
【補正対象書類名】明細書
【補正対象項目名】００１２
【補正方法】変更
【補正の内容】
【００１２】
前記第１収納室および前記第２収納室にシート状の物品を収納し、かつ、前記第３収納室に前記第１収納室および前記第２収納室に収納したシート状の物品より大きいシート状の物品を収納してもよい。
【手続補正６】
【補正対象書類名】明細書
【補正対象項目名】００１３
【補正方法】変更
【補正の内容】
【００１３】
前記第１収納室および前記第２収納室は、サービスサイズの写真を収納するためのものであってよい。前記第３収納室は、パノラマサイズの写真を収納するためのものであってよい。
【手続補正７】
【補正対象書類名】明細書
【補正対象項目名】００２８
【補正方法】変更
【補正の内容】
【００２８】
図１１はサイズの同一のシート状物品Ｐ１を第１の収納室と第２の収納室に収納し、その上にサイズの大きなシート状物品Ｐ３を第３収納室に収納した状態を示す。
本明細書によれば、以下の各項目に記載の構成もまた開示される。
［項目１］
相対向する第１、第２の板部と、第１、第２板部にそれぞれ接続する第３、第４の板部と底部とからなる枠体と蓋部材からなる略直方体の配送ケースで、前記相対向する板部に相対する仕切壁を前記板部に垂直にそれぞれ設けた配送ケース。
［項目２］
前記蓋部材は前記枠体の頂部と前記仕切壁の頂部に対して接着または溶着等によって固定される項目１に記載の配送ケース。
［項目３］
前記枠体と前記仕切壁のそれぞれの頂部の高さは略同一の高さである項目１に記載の配送ケース。
［項目４］
前記仕切壁はそれぞれ前記板部の略中間に配されている項目１に記載の配送ケース。
［項目５］
前記蓋部材、前記枠体はプラスチック材からなる項目１に記載の配送ケース。
【手続補正書】
【提出日】平成27年10月11日(2015.10.11)
【手続補正１】
【補正対象書類名】特許請求の範囲
【補正対象項目名】請求項１
【補正方法】変更
【補正の内容】
【請求項１】
車両の走行中に運転者の覚醒度が低下したことを検出して、該車両の走行に制動をかける車両制動装置であって、
前記運転者の覚醒度を検出する覚醒度検出手段と、
前記車両の走行速度を検出する走行速度検出手段と、
前記車両の制動態様を前記走行速度に対応付けて記憶している記憶手段と、
前記覚醒度が所定の閾値以下の場合には、前記走行速度に応じた前記制動態様で前記車両の走行に制動をかける制動手段と
を備え、
前記記憶手段は、前記走行速度が低くなるほど、制動の程度が小さい前記制動態様が記憶された手段であって、
制動動作は複数回で実行され、初回制動はそれ以降の制動動作よりも強めの制動動作となるように記憶されている車両制動装置。
【手続補正２】
【補正対象書類名】明細書
【補正対象項目名】０００６
【補正方法】変更
【補正の内容】
【０００６】
上述した問題を解決するために本発明の車両制動装置では、運転者の覚醒度が閾値以下に低下したことを検出すると、車両の走行速度に応じて記憶されている制動態様を読み出して、車両の走行に制動をかける。そして予め記憶されている制動態様は、車両の走行速度が低くなるほど、制動の程度が小さい態様となっている。更に、それら制動態様は、制動動作が複数回実行され、且つ、複数回実行される制動動作のうちの初回の制動動作は、それ以降の制動動作よりも強めの制動動作となっている。
【手続補正３】
【補正対象書類名】明細書
【補正対象項目名】０００７
【補正方法】変更
【補正の内容】
【０００７】
車両の走行速度が高い場合には、ある程度の大きさの制動をかけなければ車両を速やかに減速させることができないが、かといって走行速度が低い場合に大きな制動をかけると、走行速度が急激に低下することになって後続車両から追突される虞が生じる。そこで、車両の走行速度が低くなるほど制動の程度が小さくなるような制動態様を予め記憶しておく。更に、それらの制動態様としては、制動動作が複数回実行され、且つ、複数回実行される制動動作のうちの初回の制動動作は、それ以降の制動動作よりも強めの制動動作となっているような制動態様を記憶しておく。そして、運転者の覚醒度が低下した場合には、走行速度に応じて記憶されている制動態様を読み出して車両を制動してやれば、他車から追突されることなく、車両を速やかに減速させることが可能となる。
【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
表面を温度調整するための温度調整装置（１０）であって、
前記温度調整装置（１０）が、温度調整すべき表面の少なくとも一部に覆いかぶさる少なくとも１つの熱分配器（６，６’）を備え、
前記熱分配器（６）が、アルミ箔を含む金属層である熱伝導層の形であり、
少なくとも１つの電熱抵抗器（１１４）を備え、
前記熱分配器（６，６’）が前記電熱抵抗器（１１４）の基礎面より大きい面に覆いかぶさるように、前記電熱抵抗器（１１４）は少なくとも部分的に前記電熱抵抗器（１１４）の側面から突き出た２つの前記金属層の間に配置され、
前記電熱抵抗器（１１４）と前記熱分配器（６，６’）は、相応の窪み（１０７）の中に沈められるように表面の輪郭が設計されることを特徴とする温度調整装置（１０）。
【手続補正書】
【提出日】平成27年2月10日(2015.2.10)
【手続補正１】
【補正対象書類名】特許請求の範囲
【補正対象項目名】請求項５
【補正方法】変更
【補正の内容】
【請求項５】
前記ＰＴＰシートガイド装置は一対の側方ガイド部を備えており、
前記一対の側方ガイド部間の幅と、前記駆動ローラ、従動ローラ及び押圧ローラの幅方向の位置とを前記ＰＴＰシートの幅及び前記錠剤保持部の位置に対応させるように、同時に調整可能であることを特徴とする請求項１から４のいずれか一項に記載の錠剤取出装置。
【手続補正２】
【補正対象書類名】図面
【補正対象項目名】図１０
【補正方法】変更
【補正の内容】
【図１０】
2014221663.tif 000001
【手続補正３】
【補正対象書類名】図面
【補正対象項目名】図１６
【補正方法】変更
【補正の内容】
【図１６】
2014221663.tif 000002
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
タンパク質の特性を測定するための装置であって、
多色光Ｘ線源と、
Ｘ線検出装置と、
少なくともひとつの疎水性領域および少なくともひとつの親水性領域を含んだフォーカシングチップと
を含み、
前記フォーカシングチップは、約１０％超の炭素を含む
ことを特徴とする、装置。
【請求項２】
前記フォーカシングチップの厚さが５００ミクロン未満である、請求項１に記載の装置。
【請求項３】
前記フォーカシングチップが、硫黄、フッ素、リン、塩素、臭素、鉄、亜鉛、マグネシウム、カルシウム、チタン、スカンジウム、白金、およびこれらの混合物からなる群から選択される元素の少なくとも一種を実質的に含まない、請求項１に記載の装置。
【請求項４】
前記フォーカシングチップの前記親水性領域のサイズが、７５平方ピコメートルから３．６平方ミクロンの範囲である、請求項１に記載の装置。
【請求項５】
さらに
タンパク質試料と、
前記タンパク質試料に曝露されかつ前記タンパク質試料に少なくとも弱く結合する分子と
を含み、
前記タンパク質試料が、前記フォーカシングチップの前記親水性領域の上に配置される、請求項１に記載の装置。
【請求項６】
多色光Ｘ線が、前記タンパク質試料の表面積の２５％から２５０％の間の断面積を有するビームとして配される、請求項５に記載の装置。
【請求項７】
前記フォーカシングチップが、測定対象となる元素を実質的に含まない、請求項５に記載の装置。
【請求項８】
さらにセキュリティシステムを格納した媒体を含み、
前記セキュリティシステムは、前記タンパク質試料および前記分子の中の化学元素を照射して得られる複数のＸ線蛍光シグナルデータの記録を維持するためのものであり、
前記セキュリティシステムが、生体認証解析システム、閉鎖系、デジタル署名、ならびに何れの２人の個体も同一の識別符号及びパスワードの組み合わせを持たないように設計されたデジタル署名からなるリストから選択されるセキュリティ管理のうちの少なくとも一種を含む
ことを特徴とする、請求項５に記載の装置。
【請求項９】
タンパク質の特性を測定するための装置であって、
多色光Ｘ線源と、
Ｘ線検出装置と、
少なくともひとつの疎水性領域および少なくともひとつの親水性領域を含んだフォーカシングチップと
を含み、
前記フォーカシングチップの厚さが５００ミクロン未満である
ことを特徴とする、装置。
【請求項１０】
前記フォーカシングチップが約１０％超の炭素を含む、請求項９に記載の装置。
【請求項１１】
前記フォーカシングチップが、硫黄、フッ素、リン、塩素、臭素、鉄、亜鉛、マグネシウム、カルシウム、チタン、スカンジウム、白金、およびこれらの混合物からなる群から選択される元素の少なくとも一種を実質的に含まない、請求項９に記載の装置。
【請求項１２】
前記フォーカシングチップの前記親水性領域のサイズが、７５平方ピコメートルから３．６平方ミクロンの範囲である、請求項９に記載の装置。
【請求項１３】
さらに
タンパク質試料と、
前記タンパク質試料に曝露されかつ前記タンパク質試料に少なくとも弱く結合する分子と
を含み、
前記タンパク質試料が、前記フォーカシングチップの前記親水性領域の上に配置される、請求項９に記載の装置。
【請求項１４】
多色光Ｘ線が、前記タンパク質試料の表面積の２５％から２５０％の間の断面積を有するビームとして配される、請求項１３に記載の装置。
【請求項１５】
さらにセキュリティシステムを格納した媒体を含み、
前記セキュリティシステムは、前記タンパク質試料および前記分子の中の化学元素を照射して得られる複数のＸ線蛍光シグナルデータの記録を維持するためのものであり、
前記セキュリティシステムが、生体認証解析システム、閉鎖系、デジタル署名、ならびに何れの２人の個体も同一の識別符号及びパスワードの組み合わせを持たないように設計されたデジタル署名からなるリストから選択されるセキュリティ管理のうちの少なくとも一種を含む
ことを特徴とする、請求項１３に記載の装置。
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
対象成分を操作するための操作管であって、
一方に対象成分を含む試料を供給するための閉鎖可能であってよい開口端及び他方に閉口端を有する管と、
前記管内に収容され且つゲル層及び水系液体層が前記管の長手方向に交互に重層されている操作媒体と、
対象成分を捕捉し運搬する磁性体粒子とを備え、
磁場が印加されることによって、前記磁性体粒子が、前記操作管の長手方向に、ゲル状態である前記ゲル層を通過して移動するよう構成された、操作管。
【請求項２】
前記管の内径が０．１ｍｍ〜５ｍｍである、請求項１に記載の操作管。
【請求項３】
前記磁性体粒子が、対象成分としての核酸への結合力又は吸着力を有するものであり、
前記操作媒体が核酸を遊離させ、前記磁性体粒子へ結合又は吸着させる液体からなる水系液体層及び／又は前記磁性体粒子の洗浄液からなる水系液体層を含む、請求項１または２に記載の操作管。
【請求項４】
前記操作媒体が、核酸増幅反応液からなる水系液体層、又は、逆転写反応液からなる水系液体層及び核酸増幅反応液からなる水系液体層をさらに含む、請求項３に記載の操作管。
【請求項５】
前記操作管が、操作部Ａ及び回収部Ｂを有し、
前記操作管を構成する前記管が、前記操作部Ａ及び前記回収部Ｂにそれぞれ対応する操作用管部ａ及び回収用管部ｂを有し、
前記操作部Ａが、前記管部ａと、前記管部ａ内に収容された前記操作媒体とを含み、
前記回収部Ｂが、前記管部ｂと、前記管部ｂ内に収容され且つ水系液体層及びゲル層のいずれか一方を少なくとも含む回収用媒体とを含む、請求項１〜４のいずれか１項に記載の操作管。
【請求項６】
前記操作用管部ａと前記回収用管部ｂとが分離可能である、請求項５に記載の操作管。
【請求項７】
前記管の材質が、ポリエチレン、ポリプロピレン、フッ素樹脂、ポリ塩化ビニル、ポリスチレン、ポリカーボネート、アクリロニトリルブタジエンスチレンコポリマー、アクリロニトリルスチレンコポリマー、アクリル樹脂、ポリ酢酸ビニル、ポリエチレンテレフタレート、環状ポリオレフィン及びガラスからなる群から選ばれる、請求項１〜６のいずれか１項に記載の操作管。
【請求項８】
前記開口端の内径が、前記操作媒体であるゲル層及び水系液体層が収容されている前記管の内径よりも広い、請求項１〜７のいずれか１項に記載の操作管。
【請求項９】
前記管が光透過性を有する、請求項１〜８のいずれか１項に記載の操作管。
【請求項１０】
前記管の内壁の表面粗さが０．１μｍ以下である、請求項１〜９のいずれか１項に記載の操作管。
【請求項１１】
前記ゲル層の長手方向の厚さが１〜２０ｍｍである、請求項１〜１０のいずれか１項に記載の操作管。
【請求項１２】
前記水系液体層の長手方向の厚さが０．５〜３０ｍｍである、請求項１〜１１のいずれか１項に記載の操作管。
【請求項１３】
前記回収部Ｂが、対象成分に特異的に結合し、光照射により蛍光を生じることで対象成分を検出するための蛍光色素をさらに含む、請求項５または６に記載の操作管。
【請求項１４】
前記回収部Ｂが、逆転写反応液からなる水系液体層及び核酸増幅反応液からなる水系液体層をさらに含む、請求項５、６および１３のいずれか１項に記載の操作管。
【請求項１５】
請求項１３に記載の操作管と、
前記操作管に磁場を印加することによって前記磁性体粒子を前記操作管の長手方向に移動させることができる磁場印加手段と、
前記回収部Ｂに光を照射し、前記対象成分に特異的に結合された蛍光色素から生じた蛍光を検出する光学的検出手段とを備える、デバイス。
【請求項１６】
請求項１〜１４のいずれか１項に記載の操作管を複数備え、
複数の前記操作管に磁場を同時に印加することによって、複数の前記操作管について、前記磁性体粒子を前記操作管の長手方向に同時に移動させることができる磁場印加手段をさらに備えるデバイス。
【請求項１７】
前記磁場印加手段が、
前記操作管の長手方向に移動することができる可動基板と、
前記操作管の長手方向への前記可動基板の移動の制御を行う磁場移動機構と、
前記可動基板中に保持された、複数の操作管に対応する複数の磁力源とを含む、請求項１６に記載のデバイス。
【請求項１８】
請求項１〜１４のいずれか１項に記載の操作管と、
前記操作管に磁場を印加することによって前記磁性体粒子を前記操作管の長手方向に移動させることができる磁場印加手段とを備え、
前記磁場印加手段が、前記操作管の長手方向に磁場を振幅移動させる、又は、磁場を回転運動させる、デバイス。
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
配列番号２で示されるアミノ酸配列からなるＨＰＶ４５  Ｌ１タンパク質をコードするヌクレオチド配列からなり、核酸配列が酵母細胞における高レベル発現のためコドン最適化されている、核酸分子。
【請求項２】
請求項１に記載の核酸分子を含むベクター。
【請求項３】
請求項２に記載のベクターを含む宿主細胞。
【請求項４】
（ａ）請求項１に記載の核酸分子で酵母を形質転換すること、
（ｂ）組換えパピローマウイルスタンパク質を産生するために、前記コドン最適化核酸分子の発現が可能な条件下で前記形質転換された酵母を培養すること、および
（ｃ）ＨＰＶ４５  ＶＬＰを産生するために、前記組換えパピローマウイルスタンパク質を単離すること、
を含む、ＨＰＶ４５ウイルス様粒子（ＶＬＰ）を産生する方法。
【請求項５】
酵母が、サッカロミセス  セレビシエ、ハンゼヌラ  ポリモルファ、ピキア  パストリス、クルイベロミセス  フラギリス、クルイベロミセス  ラクチス及びシゾサッカロミセス  ポンベからなる群から選択される、請求項４に記載の方法。
【請求項６】
酵母がサッカロミセス  セレビシエである、請求項５に記載の方法。
【請求項７】
組換えＨＰＶ４５  Ｌ１タンパク質を含むヒトパピローマウイルス  ４５（ＨＰＶ４５）ウイルス様粒子（ＶＬＰ）であって、ＨＰＶ４５  Ｌ１タンパク質が配列番号２に示すアミノ酸配列からなり、酵母において産生される、ＨＰＶ４５  ＶＬＰ。